(57)【要約】【課題】破砕装置を搭載してなる自走式破砕機において、破砕装置の内部への出入口を開閉自在に覆蓋する蓋体を設けるにあたり、該蓋体の開閉を軽い操作力で簡単に行えるようにする。【解決手段】破砕装置の内部への出入口Ｅを開閉自在に覆蓋する蓋体を、基端側が出入口縁部に揺動自在に支持され、中間部が折曲自在な折畳式扉体１１で構成すると共に、扉体１１の先端側に、出入口Ｅの側縁部に配されるガイドレール２７に移動自在に係合して扉体１１の開閉をガイドする転動体２５を設けた。【選択図】        図４
2004344841.tif 000002
【特許請求の範囲】
【請求項１】
破砕装置を搭載してなる自走式破砕機において、前記破砕装置の内部への出入口を開閉自在に覆蓋するための蓋体を、基端側が出入口縁部に揺動自在に支持され、中間部が折曲自在な折畳式の扉体で構成したことを特徴とする自走式破砕機。
【請求項２】
請求項１において、出入口の側縁部にガイドレールを配設する一方、扉体の先端側に、前記ガイドレールに移動自在に係合して扉体の開閉をガイドするガイド体を設けたことを特徴とする自走式破砕機。
【請求項３】
請求項１または２において、破砕装置の内部への出入口は、自走式破砕機の作業用フロアに形成される一方、閉鎖状態の扉体は、作業用フロアを構成することを特徴とする自走式破砕機。
【請求項４】
請求項１、２または３において、閉鎖状態の扉体は、操縦用フロアと略同一高さ位置に操縦用フロアから連続する状態で設けられることを特徴とする自走式破砕機。
【発明の詳細な説明】
【０００１】
【発明の属する技術分野】
本発明は、ジョークラッシャ等の破砕装置が搭載された自走式破砕機の技術分野に属するものである。
【０００２】
【従来の技術】
近年、建造物の取り壊し等の現場で発生するコンクリート等の塊状物を細かく破砕するための機械として、走行体を備えた車体にジョークラッシャ等の破砕装置を搭載した自走式破砕機の重要が増加している。この様な自走式破砕機において、破砕装置の点検、修理、調節、部品交換等のメンテナンス作業のなかには、破砕装置の内部に入り込んで行わなければならない作業がある。
そこで従来、破砕装置のケースを、上方が開口した固定ケースと、該固定ケースの上方を覆う可動ケースとからなる分割型とすると共に、可動ケースの基端側を固定ケースに開閉揺動自在に軸支して、可動ケースを開放することにより破砕装置の内部に入り込んでのメンテナンス作業を行うことができるように構成したものが知られている（例えば、特許文献１参照。）。
【０００３】
【特許文献１】
特開２００３−３８９７７号公報（図４、図１３）
【０００４】
【発明が解決しようとする課題】
しかるに、前記従来のものにおいて、固定ケースの上方開口が大きいほど破砕装置内部への出入りが容易になるが、開口が大きくなると可動ケースが大型化してしまい、その開閉操作に大きな労力を要する。このため、前記従来のものでは、油圧シリンダを用いて可動ケースの開閉作動をアシストしているが、この様な開閉アシスト用油圧シリンダを設けることは、コストアップの一因となる許りか、破砕装置のケース内に開閉アシスト用油圧シリンダの配設スペースを確保する必要も生じるという問題がある。さらに、前記従来の可動ケースの上面は傾斜状になっていて作業員が載ることができないように設計されているため、該可動ケースの設置スペースは、作業用フロアとして利用することができないデッドスペースになってしまうという問題もあり、ここに本発明が解決しようとする課題があった。
【０００５】
【課題を解決するための手段】
本発明は、上記の如き実情に鑑み、これらの課題を解決することを目的として創作されたものであって、破砕装置を搭載してなる自走式破砕機において、前記破砕装置の内部への出入口を開閉自在に覆蓋するための蓋体を、基端側が出入口縁部に揺動自在に支持され、中間部が折曲自在な折畳式の扉体で構成したことを特徴とするものである。
そしてこの様にすることにより、出入口を広く開口しても、該出入口を覆蓋する蓋体の開閉操作を簡単に行えることになって、作業性が向上する。
このものにおいて、出入口の側縁部にガイドレールを配設する一方、扉体の先端側に、前記ガイドレールに移動自在に係合して扉体の開閉をガイドするガイド体を設けることにより、扉体を軽い操作力で速やかに開閉することができる。
また、破砕装置の内部への出入口は、自走式破砕機の作業用フロアに形成される一方、閉鎖状態の扉体は、作業用フロアを構成するように設計することにより、扉体のスペースを作業用フロアとして利用できることになって、スペースの有効利用が図れる。
さらに、閉鎖状態の扉体は、操縦用フロアと略同一高さ位置に操縦用フロアから連続する状態で設けることにより、操縦用フロアから破砕装置内部へのアクセスが容易であるという利点がある。
【０００６】
【発明の実施の形態】
次に、本発明の実施の形態を図面に基づいて説明する。図面において、１は自走式破砕機であって、該自走式破砕機１は、クローラ式の走行体２に取付け支持される基台フレーム３の前後方向略中央部に、ジョークラッシャ等からなる破砕装置４が載置されている。該破砕装置４の後側上方には、コンクリート塊等の被破砕物が投入されるホッパ５が配され、該ホッパ５の下方には、ホッパ５に投入された被破砕物を破砕装置４の入口部４ａに導入するための振動フィーダ６が配されている。該振動フィーダ６は、所謂グリズリフィーダと称されるものであって、底面部の前半側に鋸歯状プレート６ａを有し、ホッパ５に投入された被破砕物を破砕装置４側に順次搬送すると共に、破砕不要の小さなコンクリート塊や土砂等を、鋸歯状プレート６ａの間隙から下方に落下させる。そして、該落下物は、振動フィーダ６の前半側の下方から機体左右方に突出する状態で配されるサイドコンベア８によって、自走式破砕機１の左右外方に搬出されるように構成されている。
一方、破砕装置４の左右側方には、後述する左右の作業用フロア９Ｌ、９Ｒが配され、またこれら作業用フロア９Ｌ、９Ｒおよび破砕装置４の前方には、操縦部１０、後述のメンテナンス用出入口Ｅを開閉自在に覆蓋する扉体１１、燃料タンク１２、作動油タンク１３等が配され、さらにその前方には、図示しないエンジンや油圧ポンプ等が収納される動力室１４が配されている。また、破砕装置４により破砕された処理物を機外に排出するための搬出コンベア１５が、破砕装置４の下方から動力室１４の下方に至り、さらに機体前上方に向けて突出する状態で配されている。
尚、図中、１６は搬出コンベア１５の中途部上方に配される磁選機であって、該磁選機１６は、コンクリート塊に含まれる鉄筋等の金属材を磁石で磁着して機外に放出するように構成されている。
【０００７】
前記破砕装置４の左右側方に配される左右の作業用フロア９Ｌ、９Ｒは、破砕装置４の前後長方向略全域に亘るように配されていて、該左右の作業用フロア９Ｌ、９Ｒに載った状態で作業員が破砕装置４の状況確認やメンテナンス作業等を行えるようになっているが、さらにこの左右の作業用フロア９Ｌ、９Ｒの後部は振動フィーダ６の搬送終端側に届く位置まで延設されていて、鋸歯状プレート６ａや破砕装置４の入口部４ａに詰まった滞留物の除去作業等を行うことができるようになっている。この左右の作業用フロア９Ｌ、９Ｒは、作業員が破砕装置４の左右何れかの側からでも作業しやすいように、略同一高さ位置に設定されている。
【０００８】
一方、操縦部１０は、前記右側の作業用フロア９Ｒから破砕装置４の右部に至る部位の前方に配されているが、該操縦部１０の床面となる操縦用フロア１７は、右側作業用フロア９Ｒと略同一高さ位置に、右側作業用フロア９Ｒから連続する状態で設けられている。尚、操縦部１０には、操作パネル１８や操作レバー１９等が配置されていて、自走式破砕機１の走行や、破砕装置４、振動フィーダ６、サイドコンベア８、搬出コンベア１５等の作業装置の運転−停止等の各種操作を行えるようになっている。
【０００９】
また、破砕装置４の前方には、前記操縦用フロア１７の左側に隣接する状態で、破砕装置４の内部のメンテナンス作業（例えば、ジョークラッシャの出口隙間の調節を行うためのシム２０の交換作業）等を行うときに破砕装置４の内部に入り込むことができる出入口Ｅが開設されている。該出入口Ｅは開閉自在な扉体１１によって覆蓋されているが、該扉体１１の上面は、前記操縦用フロア１７と略同一高さ位置に、操縦用フロア１７から連続する状態で設けられている。そして、閉鎖状態の扉体１１の上面に載ることにより、破砕装置４のメンテナンス作業を行ったり、扉体１１の前方側に配される動力室１４のメンテナンス作業を行うことができるようになっている。尚、動力室１４の後面カバー１４ａには、扉体１１の上面から動力室１４の上面に昇るときに用いるステップ２１および手摺り２２が取り付けられている。
因みに、前記作業用フロア９Ｌ、９Ｒ、操縦用フロア１７、および扉体１１の上面は、所謂アンチスリップ加工が施されていて、作業員が不用意に滑らないように配慮されている。
【００１０】
前記扉体１１は、前述したようにメンテナンス用の出入口Ｅを開閉するものであって、出入口Ｅの形状に対応して略四角形状をしており、その一側縁部が出入口Ｅの一側縁部に丁番２３を介して揺動自在に支持されると共に、中間部が折曲自在な折畳式、つまり二枚の扉材１１Ａ、１１Ｂを丁番２４を介して折曲自在に連結した折畳式扉体で構成されている。
【００１１】
さらに扉体１１の戸先側（丁番２３と反対側の側縁部）の両側端部には、回転自在な転動体２５が軸支されている。一方、出入口Ｅの側縁部を形成するフレーム２６には、前記転動体２５が転動自在に係合する断面コ字形状のガイドレール２７が配設されている。そして、該ガイドレール２７に転動体２５が転動自在にガイドされることにより、前記折畳式の扉体１１の開閉を円滑かつ軽い操作力で行えるようになっている。
尚、扉体１１には、扉体１１の開閉時に作業員が手を挿入することができる手掛け用孔２８が開設されている。
【００１２】
また、２９は扉体１１を閉鎖状態にロックするためのロック装置であって、該ロック装置２９は、扉体１１の戸先側に設けられ、扉体１１の側縁から出没する方向にスライド移動自在な固定用ピン３０と、出入口Ｅの側縁部を形成するフレーム２６側に設けられ、前記固定用ピン３０が係脱自在に係合する係合孔３１ａが形成された係合部材３１とから構成されている。そして、固定用ピン３０に一体的に設けられる摘み部３０ａを操作して、固定用ピン３０を係合部材３１の係合孔３１ａに係脱するようスライド移動させることにより、扉体１１を閉鎖状態にロック−ロック解除できるようになっている。
【００１３】
尚、扉体１１や操縦用フロア１７の下方にコントロールバルブ等の部材装置が収納されている場合には、これら部材装置のメンテナンスについても、扉体１１を開放して行うようにすることができる。
【００１４】
叙述の如く構成されたものにおいて、破砕装置４の内部の点検、修理、部品交換等のメンテナンス作業を行う場合には、扉体１１を開けて出入口Ｅから破砕装置４の内部に入り込んで作業することになるが、上記扉体１１は、基端側が出入口Ｅの縁部に丁番２３を介して揺動自在に支持され、且つ中間部が折曲自在に構成された折畳式のもので、しかも該扉体１１の開閉は、扉体１１の先端側に設けられた転動体２５が出入口Ｅの側縁部に配されたガイドレール２７に転動自在にガイドされながら行われることになる。
この結果、作業員が出入りし易いように出入口Ｅを広く開口し、このため扉体１１が大型のものとなっても、扉体１１を軽い操作力で簡単に開閉できることになって、メンテナンスの作業性が大幅に向上する。
【００１５】
しかも、扉体１１は、操縦用フロア１７と略同一高さ位置に連続する状態で配されているため、操縦用フロア１７から破砕装置４内部へのアクセスも容易であると共に、閉鎖状態の扉体１１は作業用フロアとして利用できることになるから、出入口Ｅを開閉する扉体１１の配設スペースを有効利用できるという利点がある。
【図面の簡単な説明】
【図１】自走式破砕機の平面図である。
【図２】自走式破砕機の側面図である。
【図３】自走式破砕機の一部切欠き拡大側面図である。
【図４】扉体の配設部分の平面図である。
【図５】扉体の配設部分の正面図である。
【図６】扉体の配設部分の側面図である。
【図７】（Ａ）は図５のＡ部の拡大図、（Ｂ）は図５のＢ部の拡大図、（Ｃ）は扉材同士を連結する丁番部分の拡大図である。
【符号の説明】
１    自走式破砕機
４    破砕装置
１１    扉体
１７    操縦用フロア
２５    転動体
２７    ガイドレール
Ｅ    出入口
【図１】
2004344841.tif 000003
【図２】
2004344841.tif 000004
【図３】
2004344841.tif 000005
【図４】
2004344841.tif 000006
【図５】
2004344841.tif 000007
【図６】
2004344841.tif 000008
【図７】
2004344841.tif 000009